(57)【要約】【課題】本発明はどんな場所にでも設置することができるとともに、遠隔地の携帯端末やパソコンでリアルタイムにモニターすることができる撮像音通信装置を提供する。【解決手段】ＣＣＴＶカメラやデジタルカメラ等の画像取り込みカメラ（２）と集音用のマイク（３）に、外部からの信号を取込むセンサー（４）と、データ送信機能を有した携帯・ＰＨＳ等の電話機または同機能を有した通信カード（５）および、全ての電源供給を行うソーラーバッテリーとで撮像音通信装置を構成している。【選択図】図１
2005102097.tif 000002
【特許請求の範囲】
【請求項１】
ソーラーバッテリー（１）が電力供給を行う画像取込みカメラ（２）と、ソーラーバッテリー（１）が電力供給を行うデータ送信機能を有した携帯・ＰＨＳ等の電話または通信カード（５）からなり、データ送信機能を有した携帯・ＰＨＳ等の電話または通信カード（５）が通信時のみ撮像処理を行うことを特徴とする撮像通信装置。
【請求項２】
ソーラーバッテリー（１）が電力供給を行う音声取込みマイク（３）と、ソーラーバッテリー（１）が電力供給を行うデータ送信機能を有した携帯・ＰＨＳ等の電話や通信カード（５）からなり、データ送信機能を有した携帯・ＰＨＳ等の電話または通信カード（５）が通信時のみ撮音処理を行うことを特徴とする撮音通信装置。
【請求項３】
ソーラーバッテリー（１）が電力供給を行う画像取込みカメラ（２）と、ソーラーバッテリー（１）が電力供給を行うデータ送信機能を有した携帯・ＰＨＳ等の電話や通信カード（５）と、ソーラーバッテリー（１）が電力供給を行うセンサー（４）からなり、センサー（４）からの信号により、データ送信機能を有した携帯・ＰＨＳ等の電話または通信カード（５）が発信し、通信時のみ撮像処理を行うことを特徴とする撮像通信装置。
【請求項４】
ソーラーバッテリー（１）が電力供給を行う音声取込みマイク（３）と、ソーラーバッテリー（１）が電力供給を行うデータ送信機能を有した携帯・ＰＨＳ等の電話や通信カード（５）と、ソーラーバッテリー（１）が電力供給を行うセンサー（４）からなり、センサー（４）からの信号により、データ送信機能を有した携帯・ＰＨＳ等の電話または通信カード（５）が発信し、通信時のみ撮音処理を行うことを特徴とする撮音通信装置。
【発明の詳細な説明】
【技術分野】
【０００１】本発明は、電源コードおよび通信コードが不要な撮像音通信装置に関する。
【背景技術】
【０００２】従来、カメラやマイクには電源コードからの電源供給が必要であった。
また、撮像したデータをコード接続にて録画装置に記録したり、モニターに表示している。【０００３】このとき、ソーラーバッテリー方式の定点観測装置として、メモリカード等の記憶装置に記録しておき、そのデータを無線で出力することは知られている（特許文献１参照）。
【特許文献１】    特許公開２００２−５１３０３
【発明の開示】
【発明が解決しようとする課題】
【０００４】従来のカメラによる監視・観測装置は、測定場所と監視場所とをコードで接続しているために、設置場所が限られるとともに、ＣＣＴＶカメラとモニターや録画装置とで一式となるため、高価になるという欠点があった。また、ＣＣＴＶカメラ、電源ケーブルやカメラのビデオケーブルが悪戯により壊されたり、切断されたりしやすいという欠点があった。【０００５】ソーラーバッテリー方式の定点観測装置においては、一時的にメモリカード等の記憶装置に記録する必要があり、リアルタイムな撮像音の送信ができなかった（特許文献１参照）。また２４時間稼動のカメラ装置では、太陽光の無い夜間での消費電力が大ききく、ソーラーバッテリー装置が大型である必要があった。
【課題を解決するための手段】
【０００６】ＣＣＴＶカメラやデジタルカメラ等の画像取り込みカメラ（２）と集音用のマイク（３）に、外部からの信号を取込むセンサー（４）と、データ送信機能を有した携帯・ＰＨＳ等の電話機または同機能を有した通信カード（５）を接続する。その際、全ての電源はソーラーバッテリー（１）で賄う。画像取り込みカメラ（２）と集音用のマイク（３）はデータ送信機能を有した携帯・ＰＨＳ等の電話機または同機能を有した通信カード（５）が通信を行っている間だけ撮像音動作を行う。
本発明は、以上の構成よりなる電源コードおよび通信コードが不要な撮像音通信装置である。
【発明の効果】
【０００７】電話回線や通信回線が不要である為、自由な場所に設置できる。また車や船などの乗物に配線工事不要で設置できる【０００８】必要な時だけカメラやマイクの電源が入るので、消費するソーラーバッテリー電力が軽減できる（小型化できる）。【０００９】携帯・ＰＨＳ等の電話機能の着信または、タイマー等の定刻発信または、センサー信号からの発信にて動作するため、通信パケット数や通信料金が少なくなる。【００１０】記録機構を持たないことにより記録媒体の保守が不要になる。また機構も簡素化するため、安価に作成できる。
【発明を実態するための最良の形態】
【００１１】ＣＣＴＶカメラやデジタルカメラ等の画像取り込みカメラ（２）と集音用のマイク（３）は、データ送信機能を有した携帯・ＰＨＳ等の電話機または同機能を有した通信カード（５）がデータ通信している間だけ撮像音稼動する機構を有する。
【００１２】データ送信機能を有した携帯・ＰＨＳ等の電話機または同機能を有した通信カード（５）は、携帯・ＰＨＳ等の電話機能の着信または、タイマー等の定刻発信または、センサー信号からの発信にて動作し通信を行う。
【００１３】全ての機構の電源は、ソーラーバッテリーで賄う。
【００１４】画像表示機能を有した携帯・ＰＨＳ等の電話機または同機能を有したパソコン等のモニター画面に表示する。または、記録装置に撮像音データを記録する。
【実施例１】
【００１５】図２は本発明の実施例のイメージである。日光が当たる場所かつ、携帯・ＰＨＳ等の電話回線が利用できる任意の場所にＣＣＴＶカメラやデジタルカメラ等の画像取り込みカメラ（２）を設置する。画像表示機能を有した携帯・ＰＨＳ等の電話機（７）から、カメラに接続されたデータ送信機能を有した携帯・ＰＨＳ等の電話機または同機能を有した通信カード（５）に対し電話する。携帯・ＰＨＳ等の無線電話回線網（６）を経由して、リアルタイムにカメラ画像やマイク音声をモニターする。
【実施例２】
【００１６】図２は本発明の実施例のイメージである。日光が当たる場所かつ、携帯・ＰＨＳ等の電話回線が利用できる任意の場所にＣＣＴＶカメラやデジタルカメラ等の画像取り込みカメラ（２）を設置する。振動・音声・光等のセンサー（４）からの信号により、カメラに接続されたデータ送信機能を有した携帯・ＰＨＳ等の電話機または同機能を有した通信カード（５）から、予め登録された画像表示機能を有した携帯・ＰＨＳ等の電話機（７）に対して通信を行う。携帯・ＰＨＳ等の無線電話回線網（６）を経由して、リアルタイムにカメラ画像やマイク音声をモニターする。
【産業上の利用可能性】
【００１７】電源確保がしにくい場所、回線工事がしにくい場所、保守がしにくい場所で利用できる。
【図面の簡単な説明】
【００１８】
【図１】本発明の概略ブロック図
【図２】本発明の使用状態での斜視図
【符号の説明】
【００１９】１  ソーラーバッテリー
２  画像取り込みカメラ
３  音声取り込みマイク
４  センサー
５  携帯・ＰＨＳ等の電話機または同機能を有した通信カード
６  携帯・ＰＨＳ等の無線電話回線網イメージ
７  画像表示機能を有した携帯・ＰＨＳ等の電話機
【図１】
2005102097.tif 000003
【図２】
2005102097.tif 000004